(57)【特許請求の範囲】
【請求項１】
二重の正面板１、両側面板２、２、背面板３、底面板４、上面板５からなる六面体形状の紙箱において、上面板５に両側面板２、２に近接して設けた対向する切離線６、６と、二重の正面板１の正面外側板１ａに前記切離線６、６に連続して設けた対向する切離線７、７と、上面板５の背面板３側に上面板５と背面板３とに亘って連続して設けた対向するヒンジ形成用切込線９、９と、上面板５の前記切込線９、９の対向外側に切離線６、６に連続して背面板３に平行に設けた折目１０、１０と、背面板３に前記折目１０、１０に平行に設けた前記切込線９、９の末端を結ぶ折目１１とにより構成される開封用蓋部を備え、前記対向切込線９、９の対向内側の上面板５と背面板３との両面板により形成される稜線部１２によるロックヒンジ機能を有するようにしたことを特徴とするロックヒンジ付き紙箱。
【請求項２】
二重の正面板１、両側面板２、２、背面板３、底面板４、上面板５からなる六面体形状の紙箱において、上面板５に両側面板２、２に近接して設けた対向する切離線６、６と、二重の正面板１の正面外側板１ａと上面板５との境界線に沿って前記切離線６、６に連続して設けた切離線７、７と、該切離線７、７の対向端部より正面外側板側に突出する切込線７ａと、上面板５の背面板３側に上面板５と背面板３とに亘って連続して設けた対向するヒンジ形成用切込線９、９と、上面板５の前記切込線９、９の対向外側に切離線６、６に連続して背面板３に平行に設けた折目１０、１０と、背面板３に前記折目１０、１０に平行に設けた前記切込線９、９の末端を結ぶ折目１１とにより構成される開封用蓋部を備え、前記対向切込線９、９の対向内側の上面板５と背面板３との両面板により形成される稜線部１２によるロックヒンジ機能を有するようにしたことを特徴とするロックヒンジ付き紙箱。
【発明の詳細な説明】
【技術分野】
【０００１】
本発明は、食品類や医薬品類等を収納包装するための紙箱に関し、紙箱の上面板にロックヒンジ付きの開封用蓋部を備えたロックヒンジ付き紙箱に関する。
【背景技術】
【０００２】
食品類や医薬品類等を収納包装するための六面体形状の紙箱としては、従来から各種の形態があり、紙箱を開封するための開封用蓋部の構造形態にも各種の形態がある。
【０００３】
例えば、図５（ａ）に示すように、外側板１ａと内側板１ｂからなる二重の正面板１（１ａ、１ｂ）と、両側面板２、２と、背面板３と、底面板４と、上面板５とから構成される紙箱があり、上面板５には両側面板２、２に近接して、対向する切離線６、６が形成され、二重の正面板１の外側板１ａには前記切離線６、６に連続して切離線７、７が形成され、上面板５の背面板３側には切離線６、６に連続して背面板３に平行に折目１０が設けられている。
【０００４】
この紙箱を開封する場合には、まず、図５（ａ）において、二重の正面板１の外側板１ａに形成された対向する切離線７、７を切り破り、対向切離線７、７の対向内側の外側板１ａを正面板１の内側板１ｂから切り離し、さらに連続して上面板５の切離線６、６を切り破った後、図５（ｂ）に示すように、上面板５を折目１０を介して折り曲げることにより、紙箱には開口部１３が形成されて開封することができるようになっている。
【０００５】
開封後に紙箱を再施蓋する場合には、上面板５を折目１０を介して折り曲げて、紙箱の開口部１３を閉じ、閉じた上面板５の外側板１ａを正面板１の内側板１ｂの外側に重ね、その外側板１ａの先端部１ｃを、差込用の切込線８内に差し込むことにより再封できるようにしたものである。
【０００６】
しかしながら、上記のような開封方式の紙箱においては、上面板５を折目１０の全長を介して折り曲げて開封するために、折目１０に沿った正確な折り曲げがされない場合には上面板５は正確に開かず、紙の反発等によって、元の閉鎖方向に戻る傾向があり、中身を取り出し難いという問題があった。
【０００７】
以下に、本発明に関連する公知の文献を記載する。
【非特許文献１】文献名；紙器とコンストラクション（第２５頁、第２３６頁）、発行所；（株）パッケージング社、発行日；昭和６０年４月１５日
【発明の開示】
【発明が解決しようとする課題】
【０００８】
本発明の課題は、紙箱を開封した後は、紙の反発等によって元の閉鎖方向に戻らないように開封状態を保持できるようにして、上記のような不都合を解消することにある。
【課題を解決するための手段】
【０００９】
本発明の請求項１に係る発明は、二重の正面板１、両側面板２、２、背面板３、底面板４、上面板５からなる六面体形状の紙箱において、上面板５に両側面板２、２に近接して設けた対向する切離線６、６と、二重の正面板１の外側正面板１ａに前記切離線６、６に連続して設けた対向する切離線７、７と、上面板５の背面板３側に上面板５と背面板３とに亘って連続して設けた対向するヒンジ形成用切込線９、９と、上面板５の前記切込線９
、９の対向外側に切離線６、６に連続して背面板３に平行に設けた折目１０、１０と、背面板３に前記折目１０、１０に平行に設けた前記切込線９、９の末端を結ぶ折目１１とにより構成される開封用蓋部を備え、前記対向切込線９、９の対向内側における上面板５と背面板３との両面板により形成される稜線部１２によるロックヒンジ機能を有するようにしたことを特徴とするロックヒンジ付き紙箱である。
【００１０】
本発明の請求項２に係る発明は、二重の正面板１、両側面板２、２、背面板３、底面板４、上面板５からなる六面体形状の紙箱において、上面板５に両側面板２、２に近接して設けた対向する切離線６、６と、二重の正面板１の正面外側板１ａと上面板５との境界線に沿って前記切離線６、６に連続して設けた切離線７、７と、該切離線７、７の対向端部より正面外側板側に突出する切込線７ａと、上面板５の背面板３側に上面板５と背面板３とに亘って連続して設けた対向するヒンジ形成用切込線９、９と、上面板５の前記切込線９、９の対向外側に切離線６、６に連続して背面板３に平行に設けた折目１０、１０と、背面板３に前記折目１０、１０に平行に設けた前記切込線９、９の末端を結ぶ折目１１とにより構成される開封用蓋部を備え、前記対向切込線９、９の対向内側の上面板５と背面板３との両面板により形成される稜線部１２によるロックヒンジ機能を有するようにしたことを特徴とするロックヒンジ付き紙箱である。
【発明の効果】
【００１１】
本発明のロックヒンジ付き紙箱によれば、上面板５の背面板３側には、上面板５と背面板３とに亘って連続して対向するヒンジ形成用切込線９、９を設け、上面板５の前記切込線９、９の対向外側には、切離線６、６に連続して背面板３に平行に折目１０、１０を設け、背面板３には、前記折目１０、１０に平行に前記切込線９、９の末端を結ぶ折目１１を設けて開封用蓋部としたので、上面板５に両側面板２、２に平行に設けた対向する切離線６、６と、二重の正面板１の外側正面板１ａに前記切離線６、６に連続して設けた切離線７、７とを切り破り、上面板５を折目１０を介して開放方向に折り曲げて立ち起こし、開封した際には、前記対向切込線９、９の対向内側における上面板５（上面板５の延設部）と背面板３との両面板（両面板の連設される折目）により形成される直角内角の稜線部１２が、直角外角方向に逆折れして紙箱内方に嵌入するため、開封した上面板５は、その開封状態を保持することができる。
【００１２】
また、本発明のロックヒンジ付き紙箱によれば、開封後に、上面板５を折目１０を介して閉鎖（封鎖）方向に折り曲げて再封した際には、前記対向切込線９、９の対向内側における上面板５（上面板５の延設部）と背面板３との両面板（両面板の連設される折目）による逆折れした稜線部１２が、元の上面板５（上面板５の延設部）と背面板３との両面板（両面板の連設される折目）により形成される直角内角の稜線部１２として紙箱外方に復帰するために、閉鎖した上面板５は、その封鎖状態を保持することができる。
【発明を実施するための最良の形態】
【００１３】
本発明のロックヒンジ付き紙箱を、その実施の形態に沿って以下に詳細に説明すれば、図１（ａ）は本発明の紙箱の全体斜視図であり、外側板１ａと内側板１ｂとからなる二重の正面板１と、両側面板２、２と、背面板３と、底面板４と、上面板５とからなる六面体形状の紙箱である。
【００１４】
前記上面板５には、両側面板２、２に近接して、対向する切離線６、６が形成されていて、二重の正面板１の外側正面板１ａには、前記切離線６、６に連続して、対向する切離線７、７が形成されている。
【００１５】
前記上面板５の背面板３側には、上面板５と背面板３とに亘って連続して対向するヒンジ形成用切込線９、９が形成されていて、上面板５の前記切込線９、９の対向外側には、
切離線６、６に連続して、背面板３に平行に折目１０、１０が形成されている。
【００１６】
前記背面板３には、前記折目１０、１０に平行に前記切込線９、９の末端を結ぶ折目１１が形成されて、開封用蓋部を備えている。
【００１７】
本発明の上記紙箱を開封する場合には、図１（ａ）において、まず、二重の正面板１を構成する正面外側板１ａに形成された対向する切離線７、７を切り破り、対向切離線７、７の対向内側の突出正面外側板１ａを、引っ張り上げて、正面板１を構成する正面内側板１ｂから切り離し、さらに、連続して上面板５の切離線６、６を切り破り開封して、図１（ｂ）に示すように、上面板５を定位置である折目１０を介して開放方向に折り曲げて立ち起こす。
【００１８】
これにより、上面板５に延設する延設板５ａは立ち起こされ、定位置の折目１０を中心にして紙箱内方に垂直となる方向に回動する。それに追従して前記対向切込線９、９の対向内側における背面板３に折目１１を介して連設した背面ヒンジ板３ａは、定位置である該折目１１を介して紙箱内方に水平方向乃至略水平方向（水平に近似する傾斜方向）に折り曲げられ、上面板５に延設する延設板５ａと背面ヒンジ板３ａとの両面板により形成される紙箱の直角内角の角隅部を構成する稜線部１２（両面板を連設する後述する折目ｂ）は紙箱内方に移動し、その紙箱の直角内角の角隅部は紙箱内方に逆折れして嵌入する。
【００１９】
ここで上記紙箱における前記折目１０と折目１１との互いの回動中心は定位置にあり、その離間距離は一定である。また、上面板５に延設する延設板５ａと背面ヒンジ板３ａとの両面板により形成される紙箱の直角内角の角隅部を構成する稜線部１２（両面板を連設する後述する折目ｂ）は、定点（定位置）としての前記折目１０と、折目１１と、対向する切込線９、９により位置移動可能な移動点としての直角内角を有する稜線部１２とにより形成される直角三角形相当の直角部に相当する。
【００２０】
前記稜線部１２は、直角三角形の直角を挟む二辺の合計長さに相当する前記延設板５ａと背面ヒンジ板３ａとを介して、その合計長さより短い直角三角形の斜辺に相当する前記折目１０と折目１１との両回動中心を結ぶ直線長さの間を、無理に乗り越えて移動させることになる。そのために、前記稜線部１２及びそれを挟む前記背面ヒンジ板３ａと延設板５ａは、紙箱外方への移動がロックされて逆折れ状態及び嵌入状態が保持され、該延設板５ａを延設する上面板５（蓋体）は、その立ち起こし状態にロックされて紙箱の開放状態が保持されるものである。
【００２１】
また、本発明の上記紙箱は、図１（ｂ）に示すように開封後に、上面板５を折目１０を介して閉鎖（封鎖）方向（水平な方向）に折り曲げて紙箱を閉鎖（再封）した際には、上面板５の延長板５ａは水平方向に折目１０を中心に紙箱外方に回動し、それに追従して背面ヒンジ板３ａは、折目１１を介して紙箱外方に垂直方向に折り曲げられる。それとともに、逆折れ嵌入していた前記稜線部１２は、直角三角形の直角を挟む二辺の合計長さに相当する前記延設板５ａと背面ヒンジ板３ａとを介して、その合計長さより短い直角三角形の斜辺に相当する前記折目１０と折目１１との両回動中心を結ぶ直線長さの間を、無理に乗り越えて、紙箱の外角となる正規の方向に折れて移動し、紙箱における元の状態に復帰する。そのため、この稜線部１２及びそれを挟む前記背面ヒンジ板３ａと延設板５ａは、紙箱内方への移動がロックされて、紙箱としての正規な直角内角の角隅部を構成する折れ状態が保持され、該延設板５ａを延設する上面板５（蓋体）は、その水平な状態にロックされて、紙箱の閉鎖状態が保持されるものである。
【００２２】
また、本発明の上記紙箱は、図１（ｂ）に示すように開封後に、上面板５を折目１０を介して閉鎖（封鎖）方向に折り曲げて再封した際には、前記対向切込線９、９の対向内側
における上面板５及びその延設板５ａと背面板３に折目１１を介して連設した背面ヒンジ板３ａとの両面板（両面板の連設される折目）による逆折れした稜線部１２が、元の上面板５（上面板５の延設部）と背面板３との両面板（両面板の連設される折目）により形成される直角内角の稜線部１２として紙箱外方に復帰して、閉鎖方向に折り曲げて閉鎖した上面板５は、その閉鎖状態を保持することができる。
【００２３】
このようにして開封して再封鎖した後においては、閉じた上面板５の外側板１ｂを、正面板１（内側板１ｂ）の外側に重ね、その外側板１ａの先端部１ｃを、差し込み用の切込線８内に差し込むことにより再封できるものである。
【００２４】
このように、本発明の上記ロックヒンジ付き紙箱の開封用蓋部は、前記対向切込線９、９の対向内側における上面板５及びその延設板５ａと背面板３の背面ヒンジ板３ａとの両面板により形成される稜線部１２の嵌入動作により開放状態を保持し、復帰動作により閉鎖状態を保持し、ロックヒンジ機能を有するようにしたものである。
【００２５】
本発明のロックヒンジ付き紙箱の組み立て製函に使用するブランクシート（展開図）の一例を図３に基づいて説明すれば、正面板１を構成する正面外側板１ａと、上面板５と、背面板３と、底面板４と、正面板１を構成する正面内側板１ｂとが、順に平行な折目ａ、ｂ、ｃ、ｄを介して連設されていて、また、図示するように必要に応じて正面内側板１ｂの外側には、折目ｅを介して上面板５の上面内側板５ｂが連設されていてもよい。
【００２６】
前記上面板５の両側には、各々折目ｆを介してそれぞれ側面板２、２を構成する側面外側板２ａ、２ａが連設され、背面板３の両側には、各々折目ｇを介してそれぞれフラップ板３ｂ、３ｂが連設され、底面板４の両側には、各々折目ｈを介してそれぞれ側面板２を構成する側面内側板２ｂ、２ｂが連設され、正面内側板１ｂの両側には、各々折目ｉを介してそれぞれフラップ板１ｅ、１ｅが連設されている。
【００２７】
上面板５には、側面外側板２ａ、２ａ側に近接して、対向する切離線６、６が、図示するような屈曲線を断続的、規則的に配列した形状パターンの刻切線（又は直線を断続的、規則的に配列したミシン目形状パターンの刻切線）として断続的に直線的に刻切され、正面外側板１ａと上面板５との境界線である折目ａに沿って断続的に切離線７、７が、図示するような屈曲線を断続的、規則的に配列した形状パターンの刻切線（又は直線を断続的、規則的に配列したミシン目形状パターンの刻切線）として断続的に刻切され、正面外側板１ａには、該切離線７、７の対向端部より正面外側板１ａ側に突出するコの字状等の切込線７ａが刻切され、上面板５に連続して突出するコの字状等の突出正面外側板１ａが形成されている。
【００２８】
なお、正面外側板１ａにおけるコの字状等の突出正面外側板１ａの先端部１ｃ側には、その先端部１ｃを指や爪などによって引っ掛けて、前記コの字状等の正面外側板１ａを立ち起こすための孔設部１ｄが必要に応じて打ち抜き形成されている。
【００２９】
上面板５に刻切される対向する前記切離線６、６を構成する断続線の連続的配列パターンは、本発明においては特に限定されるものではないが、例えば、図示するように、互いに、直線的な配列形状であって、互いに平行に配置することにより、前記切離線６、６、切離線７、７、折目１０、１０の互いの配置が、全体に矩形状に形成されるように配置されていてもよいし、全体に台形状に形成されていてもよい。また断続線の連続的配列パターンは、屈曲線的な配列形状であってもよい。
【００３０】
上面板５の背面板３側から背面板３に亘って連続して、対向するヒンジ形成用切込線９、９が設けられ、該上面板５の該切込線９、９の対向外側には、対向する切離線６、６に
連続する背面板３の方向（折目ｂ）に平行な折目１０、１０が形成されている。
【００３１】
対向する前記切込線９、９の対向内側の上面板５には、紙の剛性を補強するために対向するエンボス部９ａ、９ａが必要に応じて設けられ、また、対向する前記切込線９、９の対向内側の背面板３には、前記折目１０、１０に平行な折目１１が形成されている。
【００３２】
なお、対向する前記切込線９、９の線形状は、本発明においては特に限定されるものではなく、例えば、図示するように互いに対向内側に向かって凸状に湾曲した湾曲線でもよいし、あるいは互いに平行に対向する直線でもよいし、あるいは上面板５から背面板３の方向に拡がり又は狭まる対向する直線でもよい。
【００３３】
正面板１を構成する正面内側板１ｂには、コの字状等の前記突出正面外側板１ａの先端部１ｃを差し込み係止するための差込用の切込線８が設けられている。
【００３４】
上記の図３に示すブランクシートを用いて、本発明のロックヒンジ付き紙箱を組み立て製函する順序を以下に説明すれば、まず、折目ａ、ｂ、ｃ、ｄを介して、また必要に応じて折目ｅを介して、正面外側板１ａ、上面板５、背面板３、底面板４、正面内側板１ｂを、それぞれ同一方向に筒状に折り曲げ、正面外側板１ａの内面側に正面内側板１ｂを重ね合わせ、その重ね合わせ内面の左右両端領域（突出正面外側板１ａ以外の領域及び上面板５における切離線６、６の対向外側領域）を貼着して、正面板１、上面板５、背面板３、底面板４からなる筒状体を形成する。
【００３５】
続いて、該筒状体内に中身（内容物）を装填した後、折目ｉを介して正面内側板１ｂ両側のフラップ板１ｅ、１ｅ及び折目ｇを介して背面板３両側のフラップ板３ｂ、３ｂを、それぞれ内側に直角に折り曲げるとともに、折目ｈを介して底面板４両側のフラップ板２ｂ、２ｂを内側に直角に折り曲げた後、上面板５両側のフラップ板２ａ、２ａを内側に直角に折り曲げて、フラップ板２ａ、２ａの内面を前記フラップ板２ｂ、２ｂの外面に重ね合わせ、その重ね合わせ内面を貼着することにより、図１に示すような本発明のロックヒンジ付き紙箱の製函及び製函された紙箱内への中身の包装を完了する。
【００３６】
次に、本発明のロックヒンジ付き紙箱の組み立て製函に使用するブランクシート（展開図）の他の例を、図４に基づいて説明すれば、正面板１を構成する正面外側板１ａと、上面板５と、背面板３と、底面板４と、正面板１を構成する正面内側板１ｂとが、順に平行な折目ａ、ｂ、ｃ、ｄを介して連設されている。
【００３７】
前記正面外側板１ａ両側には、折目ｊを介してそれぞれフラップ板１ｆ、１ｆが連設され、前記上面板５の両側には、各々折目ｆを介してそれぞれ側面板２、２を構成する側面外側板２ａ、２ａが連設され、背面板３の両側には、各々折目ｇを介してそれぞれフラップ板３ｂ、３ｂが連設され、底面板４の両側には、各々折目ｈを介してそれぞれ側面板２を構成する側面内側板２ｂ、２ｂが連設されている。
【００３８】
上面板５には、側面外側板２ａ、２ａ側に近接して、対向する切離線６、６が、図示するような屈曲線を断続的、規則的に配列した形状パターンの刻切線（又は直線を断続的、規則的に配列したミシン目形状パターンの刻切線）として断続的に湾曲線状に刻切され、正面外側板１ａには、それぞれ前記切離線６、６に連続して、断続的な切離線７、７が、図示するような屈曲線を断続的、規則的に配列した形状パターンの刻切線（又は直線を断続的、規則的に配列したミシン目形状パターンの刻切線）として断続的に刻切され、正面外側板１ａには、該切離線７、７の対向端部より正面外側板１ａ側に突出するコの字状等の切込線７ａが刻切されて、上面板５に連続して突出するコの字状等の突出正面外側板１ａが形成されている。
【００３９】
なお、正面外側板１ａにおけるコの字状等の突出正面外側板１ａの先端部１ｃ側には、その先端部１ｃを指や爪などによって引っ掛けて、前記コの字状等の正面外側板１ａを立ち起こすための孔設部１ｄが必要に応じて打ち抜き形成されている。
【００４０】
また、突出正面外側板１ａの先端部１ｃ側の中央部には、上面板５の方向に突出する半円弧状の切込線１ｇが形成され、また該切込線１ｇの左右両側に連続して、前記折目ａに平行な折目ｋ、ｋが形成されている。
【００４１】
上面板５に刻切される対向する前記切離線６、６を構成する断続線の連続的配列パターンは、本発明においては特に限定されるものではないが、例えば、図示するように、互いに、湾曲線的な配列形状であって、互いに対向外側に突出する湾曲線を対向配置したような断続線の連続的配列パターンとしてもよい。
【００４２】
上面板５の背面板３側から背面板３に亘って連続して、対向するヒンジ形成用切込線９、９が設けられ、該上面板５の該切込線９、９の対向外側には、対向する切離線６、６に連続する背面板３の方向（折目ｂ）に平行な折目１０、１０が形成されている。
【００４３】
対向する前記切込線９、９の対向内側の上面板５には、紙の剛性を補強するために対向するエンボス部９ａ、９ａが必要に応じて設けられ、また、対向する前記切込線９、９の対向内側の背面板３には、前記折目１０、１０に平行な折目１１が形成されている。
【００４４】
なお、対向する前記切込線９、９の線形状は、本発明においては特に限定されるものではなく、例えば、図示するように互いに対向内側に向かって凸状に湾曲した湾曲線でもよいし、あるいは互いに平行に対向する直線でもよいし、あるいは上面板５から背面板３の方向に拡がり又は狭まる対向する直線でもよい。
【００４５】
正面板１を構成する正面内側板１ｂには、コの字状等の前記突出正面外側板１ａの先端部１ｃを折目ｋにて折り曲げた際に切込線１ｇにて突出する係止凸部１ｈを差し込み係止するための差込用の切込線８が設けられている。
【００４６】
上記の図４に示すブランクシートを用いて、本発明のロックヒンジ付き紙箱を組み立て製函する順序を以下に説明すれば、まず、折目ａ、ｂ、ｃ、ｄを介して正面外側板１ａ、上面板５、背面板３、底面板４、正面内側板１ｂをそれぞれ同一方向に筒状に折り曲げ、正面外側板１ａの内面側に正面内側板１ｂを重ね合わせ、その重ね合わせ内面の左右両端領域（突出正面外側板１ａ以外の領域及び上面板５における切離線６、６の対向外側領域）を貼着して、正面板１、上面板５、背面板３、底面板４からなる筒状体を形成する。
【００４７】
続いて、該筒状体内に中身（内容物）を装填した後、折目ｊを介して正面外側板１ａ両側のフラップ板１ｆ、１ｆ及び折目ｇを介して背面板３両側のフラップ板３ｂ、３ｂを、それぞれ内側に直角に折り曲げるとともに、折目ｈを介して底面板４両側のフラップ板２ｂ、２ｂを内側に直角に折り曲げた後、上面板５両側のフラップ板２ａ、２ａを内側に直角に折り曲げて、フラップ板２ａ、２ａの内面を前記フラップ板２ｂ、２ｂの外面に重ね合わせ、その重ね合わせ内面を貼着することにより、図１に示すような本発明のロックヒンジ付き紙箱の製函及び製函された紙箱内への中身の包装を完了する。
【図面の簡単な説明】
【００４８】
【図１】（ａ）は本発明のロックヒンジ付き紙箱の一例を説明する全体斜視図、（ｂ）はその一例のロックヒンジ付き紙箱を開封した状態を説明する全体斜視図。
【図２】（ａ）は本発明のロックヒンジ付き紙箱の他の例を説明する全体斜視図、（ｂ）はその一例のロックヒンジ付き紙箱を開封した状態を説明する全体斜視図。
【図３】本発明のロックヒンジ付き紙箱のブランクシートの一例。
【図４】本発明のロックヒンジ付き紙箱のブランクシートの他の例。
【図５】（ａ）は従来の紙箱の全体斜視図、（ｂ）は従来の紙箱を開封した状態を説明する全体斜視図。
【符号の説明】
【００４９】
１…正面板
２…側面板
３…背面板
３ａ…背面ヒンジ板
４…底面板
５…上面板
５ａ…延設板
６…切離線
７…切離線
８…差込用切込線
９…ヒンジ形成用切込線
１０…折目
１１…折目
【図１】
0004479622.tif 000002
【図２】
0004479622.tif 000003
【図３】
0004479622.tif 000004
【図４】
0004479622.tif 000005
【図５】
0004479622.tif 000006